(57)【要約】【課題】自動的にＰＴＹコードに対応する音場制御設定値が設定された状況において、ＰＴＹコードが取得できなくなった場合や受信状況が悪化した場合、または他の放送内容に切り替わったがＰＴＹコードが受信できなかった場合でも、聴感上違和感のないラジオ放送を聞くことができるラジオ受信装置を提供することが目的である。【解決手段】マイコン１１１は、ＰＴＹコードとサラウンドモードと放送局の受信クオリティ値Ｑに応じた制御内容とを対応づけて記憶しておき、この情報とクオリティ値ＱとをＤＳＰ１０６へ送信する。ＤＳＰ１０６は、マイコン１１１から受信したこの音場制御信号に応じて音場設定を変更する。【選択図】図２
2012074931.tif 000002
【特許請求の範囲】
【請求項１】
番組の音声信号と該番組の種別を表す番組種別コードが少なくとも多重化された放送信号を受信するラジオ受信装置であって、
受信した放送信号の電波の状況を抽出する受信状況抽出部と、受信した放送信号中のオーディオ信号の信号処理を実行する音場制御部と、前記番組種別コードと前記受信状況抽出部の抽出結果とに基づいて前記音場制御部が実行する信号処理を制御するマイコンとを備え、
前記音場制御部は、前記マイコンから指定された、前記番組種別コードに対応したサラウンド処理と前記受信状況抽出部が抽出した放送信号の電波の状況に応じた信号処理とを実行することを特徴とするラジオ受信装置。
【請求項２】
前記マイコンは、前記番組種別コードと前記オーディオ信号に対するサラウンド処理の処理モードを規定するサラウンドモード情報と前記受信状況抽出部が抽出した放送信号の電波の状況に応じた信号処理の処理モードを規定するクオリティ連動モード情報とが対応付けられたデータテーブルを記憶する記憶部を備えたことを特徴とする請求項１記載のラジオ受信装置。
【発明の詳細な説明】
【技術分野】
【０００１】
本発明は、ＲＤＳ（Radio Data System）信号が多重化されたＦＭラジオ多重放送システムにおけるラジオ受信装置において、特に、車載用として用いられるラジオ受信装置に関し、ラジオ受信装置が備えるＤＳＰの設定値を調整することによって音場制御が可能なラジオ受信装置に関するものである。
【背景技術】
【０００２】
欧州のＦＭ放送では、音声信号に加えて放送している番組に関する情報をＲＤＳ信号として多重化して送信するＲＤＳ方式のＦＭ多重放送システムが一般的であり、受信装置側では、このＲＤＳデータを用いることにより放送局名の表示や番組タイプの表示、受信感度が悪い場合に他の放送局を自動的に選局することなどが可能となっている。
【０００３】
また、同様に北米のＦＭ放送ではＲＢＤＳ方式のＦＭ多重放送システムが採用されており、欧州ほど広く活用されていないが、放送局名表示や番組タイプの表示などが可能となっている。
【０００４】
従来、このＲＤＳ方式を応用したものとして、番組が変わる度に、その番組に適したサラウンド再生を可能とするために、チューナー回路が、放送信号中のオーディオ信号をオーディオ処理回路に出力し、放送信号中の番組関連情報信号（ＲＤＳ信号）をマイコンに出力し、マイコンは、番組の種別を示すＰＴＹコードとサラウンドモードとの対応関係を記憶しており、マイコンは、対応するオーディオ信号が音楽主体であるか会話主体であるかを示すＭ／Ｓフラグを検出して判定し、会話主体ならば、記憶内容に拠らず、サラウンド処理がなされない旨の処理モードを指定するものが知られている（例えば特許文献１参照）。
【０００５】
あるいは、ＲＤＳ受信装置に関し、ＲＤＳデータ中のＰＴＹコード、Ｍ/Ｓコード、ＤＩコードに対応した所定の再生特性データを格納した再生特性データ記憶手段と、受信解読されたＲＤＳデータ中からＰＴＹコード、ＤＩコードに対応した再生特性データを前記再生特性データ記憶手段から読み出す再生特性データ読み出し手段と、該読み出された再生特性データにしたがってＦＭ再生音の再生特性を制御する再生状態制御手段を備えて、ＦＭ再生音の音質、音場、音量などの所定の再生特性を現在受信中の番組内容や送信モードに応じた最適な再生状態に自動設定することの出来るＲＤＳ受信装置が開示されている（例えば特許文献２参照）。
【先行技術文献】
【特許文献】
【０００６】
【特許文献１】特開２００２−１０１００１号公報
【特許文献２】特開平４−２８４７２５号公報
【発明の概要】
【発明が解決しようとする課題】
【０００７】
上記従来の技術は車両に搭載されるタイプの、所謂車載ラジオ受信装置においては、走行中に電波の受信状況が刻一刻と変化するため、受信したＰＴＹコードに応じて音場制御の設定を手動で行うことは困難であるため、自動的に設定変更をすることは有効な手段である。
【０００８】
しかしながら、従来の技術では、ＲＤＳデータが取得できなくなった場合や電波の受信状況が悪化した場合の音場制御まで考慮されておらず、例えば、ＲＤＳデータが取得できなくなった場合や、受信状況が悪化した場合には、前回のＰＴＹコードを受信した際に設定した設定値をそのまま引継ぐこととなり、放送内容が雑音で聞き取ることが難しくなった場合でも音場の設定値はそのままとなってしまう。
【０００９】
また、走行中に別のエリアに入り、同じ周波数で別の放送局を受信し、その放送局でＰＴＹコードが取得できなかった場合にも、前回設定した音場の設定値が引き継がれてしまう可能性がある。
【００１０】
つまり、次のＰＴＹコードを受信するまでは前回受信したＰＴＹコードによる音場設定が引き継がれ、新しくＰＴＹコードを受信した時点で音場設定が切り替わることになる。例えばクラシック音楽の番組を聴いており、ＰＴＹコードによる音場設定がクラシックになっているときに番組がニュースに切り替わった状況において、ニュース番組のＰＴＹコードが取得できなかった場合、前回設定したクラシック音楽の音場設定値、例えばコンサートホールのようなサラウンドモードでニュース番組を聴くこととなり、会話が聞き取りずらくなるため、ユーザは違和感を感じることとなる。
【００１１】
本発明は、この問題を解決するためになされたもので、自動的にＰＴＹコードに対応する音場制御設定値が設定された状況において、ＰＴＹコードが取得できなくなった場合や受信状況が悪化した場合、または他の放送内容に切り替わった場合でも聴感上違和感のないように設定値を自動的に変更することができる車載ラジオ受信装置を提供することを目的とする。
【課題を解決するための手段】
【００１２】
上記目的を達成するために本発明のラジオ受信装置は、番組の音声信号と該番組の種別を表す番組種別コードが少なくとも多重化された放送信号を受信するラジオ受信装置であって、受信した放送信号の電波の状況を抽出する受信状況抽出部と、受信した放送信号中のオーディオ信号の信号処理を実行する音場制御部と、前記番組種別コードと前記受信状況抽出部の抽出結果とに基づいて前記音場制御部が実行する信号処理を制御するマイコンとを備え、前記音場制御部は、前記マイコンから指定された、前記番組種別コードに対応したサラウンド処理と前記受信状況抽出部が抽出した放送信号の電波の状況に応じた信号処理とを実行するという構成を有する。
【発明の効果】
【００１３】
本発明によれば、自動的にＰＴＹコードに対応する音場制御設定値が設定された状況において、ＰＴＹコードが取得できなくなった場合や受信状況が悪化した場合、または他の放送内容に切り替わった場合でも聴感上違和感のないラジオ放送を聞くことができる。
【図面の簡単な説明】
【００１４】
【図１】ＰＴＹコードの説明図
【図２】本発明の実施の形態におけるラジオ受信装置のブロック図
【図３】マイコン１１１に格納されているデータテーブルの一例を示す図
【図４】本発明の実施の形態における音場設定の動作説明のための図
【図５】本発明の実施の形態におけるラジオ受信装置の処理フロー図
【発明を実施するための形態】
【００１５】
以下、本発明の実施の形態について図面を参照しながら説明する。
【００１６】
先ず、ＲＤＳ方式のＦＭ多重放送システムに関して、特に、本発明の実施の形態にかか
わる内容に関した説明を以下に示す。
【００１７】
欧州のＦＭ放送では、音声信号に加えて番組の情報をＲＤＳ信号として多重化して送信するＲＤＳ方式のＦＭ多重放送システムが一般的であり、受信装置側では、このＲＤＳデータを用いることにより放送局名を表示することや、受信状況が悪い場合に他の周波数の同一の放送局を自動的に選局することなどが可能となっている。
【００１８】
このＲＤＳデータにはＰＩ（Programme Identification：放送局識別）、ＰＳ（Programme Service Name：放送局名称）、ＴＰ（Traffic Programme Identification：交通情報局識別）、ＴＡ（Traffic Announcement Identification：交通情報放送中識別）、ＰＴＹ（Programme Type：番組タイプ）などのコードが含まれている。
【００１９】
ＰＩコードは、番組を放送している放送局を識別するためのコードで、カントリーコード４ｂｉｔ、放送エリアコード４ｂｉｔ、局識別コード８ｂｉｔで構成される１６ｂｉｔデータである。
【００２０】
ＰＳコードは、８文字の英数字で構成され、放送局の名称をあらわすコードである。ＴＰコードは、放送局が交通情報を放送する局か否かを示す１ｂｉｔデータである。
ＴＡコードは、ＴＰコードにより放送局が交通情報を放送する局である場合に現在交通情報を放送中か否かを示す１ｂｉｔデータである。
【００２１】
ＰＴＹコードは放送中の番組タイプを表す５ｂｉｔデータである。ＰＴＹコードと番組種別との対応関係は図１に示すとおりである。
【００２２】
次に、図２を用いて本実施の形態のラジオ受信装置について説明する。図２は、本実施の形態のラジオ受信装置のブロック図である。
【００２３】
図２において、アンテナ１００にて受信したＦＭ多重放送波はフロントエンド１０１に入力される。
【００２４】
フロントエンド１０１において放送局の電波が選択され、選択された電波がＩＦ信号に変換される。
【００２５】
変換されたＩＦ信号は、受信状況抽出部としてのＩＦプロセス段１０２に入力され、ＩＦ処理がなされた後、ＦＭ検波器１０３へ入力される。
【００２６】
また、ＩＦプロセス段１０２における処理の段階でＩＦ信号からＳメータ値やマルチパスの状況などの電波の受信状況を表すパラメータが算出され、算出されたパラメータがＩＦプロセス段１０２からマイコン１１１へ入力される。
【００２７】
ＦＭ検波器１０３へ入力されたＩＦ信号は、ＦＭ検波された後、二つの出力に分岐される。
【００２８】
一方はデータ信号として用いられ、ＲＤＳ復調器１１０へ入力され、ＲＤＳ復調された後、ＲＤＳ信号１１０としてマイコン１１１へ入力される。
【００２９】
他方は音声信号として用いられ、ＭＰＸ（ステレオ復調部）１０４へ入力さた後、ＭＰＸ１０４にてステレオ復調され、ＬチャンネルおよびＲチャンネルの２チャンネルのオーディオ信号（音声信号）となり、この２チャンネルの音声信号がＡｕｄｉｏＡＤＣ１０５に入力される。
【００３０】
ＡｕｄｉｏＡＤＣ１０５に入力された２チャンネルの音声信号は、Ａ／Ｄ変換された後、ＤＳＰ（音場制御部）１０６に入力される。
【００３１】
ＤＳＰ１０６ではオーディオ信号の処理（サラウンド処理）がなされる。すなわち、デジタル化されたＬ、Ｒのオーディオ信号に対して音場制御の信号処理を実行し、複数あるスピーカーから出力する音声データをそれぞれ生成する。この音場制御の制御信号はマイコン１１１から与えられる。
【００３２】
マイコン１１１は、ＣＰＵ、記憶部としてのＲＯＭ及びＲＡＭを含む。ＣＰＵは、ＲＯＭに格納されたコンピュータプログラムを、ＲＡＭを作業領域として使いながら実行する。
【００３３】
マイコン１１１では、入力されたＲＤＳ信号、Ｓメータ１０９やマルチパスなどから算出される、受信品質を示すクオリティ値のデータから音場制御データを作成し、その制御データを用いてＤＳＰ１０６を制御することによって音場制御を行う。
【００３４】
より具体的には、予めＤＳＰ１０６に複数のサラウンドモードが用意されており、マイコン１１１がＤＳＰ１０６の内部のプログラムデータ係数を設定制御することで制御されるようになっている。
【００３５】
すなわち、マイコン１１１が、サラウンドモード（音場モード）に応じたプログラムデータ係数を設定することで、様々なサラウンド再生を可能としている。
なお、クオリティ値は１００段階評価、受信不可の場合は０となり、良好な受信状況の場合は１００としている。
【００３６】
ＤＳＰ１０６にてその後、オーディオ処理された音声信号は、ＡｕｄｉｏＤＡＣ１０７にてＤ／Ａ変換され、スピーカー１０８から音声として出力される。
以上のように構成された本実施の形態におけるラジオ受信装置１０の動作について、以下にその詳細を説明する。
【００３７】
本実施の形態におけるラジオ受信装置１０は、放送局のＳメータ値（電界強度）やマルチパス妨害の強度などから算出される放送局の受信クオリティ値Ｑを用い、ＰＴＹコードの受信状況と組み合わせること（クオリティ連動）によって音場設定を変更するものである。
【００３８】
図３は、本実施の形態におけるラジオ受信装置１０のマイコン１１１に格納されているデータテーブルの一例を示す図である。
【００３９】
図３に示すとおり、マイコン１１１のメモリにはＰＴＹコードとサラウンドモードとクオリティ連動の内容を示すデータがそれぞれ対応付けられて格納されている。
【００４０】
マイコン１１１は、ＰＴＹコードとサラウンドモードとクオリティ連動の内容との対応関係を記憶しておき、ＲＤＳ信号に含まれているＰＴＹコードを検出して判定し、対応するサラウンドモードによって規定される処理モードをＤＳＰ１０６に指定する。
【００４１】
さらに、マイコン１１１は、クオリティ値Ｑの情報もＤＳＰ１０６へ送信する。ＤＳＰ１０６ではマイコン１１１によって指定されたサラウンドモードにてオーディオ信号処理すると共に、さらに、クオリティ値Ｑに応じてＰＴＹコードに対応するクオリティ連動の内容を実行する。
【００４２】
これにより、放送中にＰＴＹコードが変化した場合に、ユーザがその番組にあったサラウンドモードを設定し直すことを必要とせず、自動的に番組にあったサラウンド設定とすることができる。
【００４３】
図４は、本実施の形態のラジオ受信装置１０と従来の技術で説明したラジオ受信装置との処理の違い表したものを音場設定の時間変化のフロー図で示したものである。
【００４４】
図４において、クオリティ値Ｑに対して所定の閾値が設定される。区間１はＰＴＹコードを取得中でクオリティ値Ｑが閾値以上の状態、区間２はクオリティ値Ｑは閾値以上だが、ＰＴＹコードが取得不可となった状態、区間３はＰＴＹコードが取得不可でかつクオリティ値Ｑが閾値未満となった状態、区間４はＰＴＹコードが取得不可でかつクオリティ値Ｑが０となった状態、区間５はＰＴＹコードが取得不可だが、クオリティ値Ｑが再び閾値以上となった状態、区間６は他の放送局のＰＴＹコードを取得した状態とする。
【００４５】
ここで、区間１でＰＴＹコードを取得中には、そのＰＴＹコードに対応した、所定のサラウンドモードである、サラウンドモードＡが音場制御設定されており、区間６で次のＰＴＹコードを受信したときにそのＰＴＹコードに対応したサラウンドモードＢが音場制御設定されるものとする。
【００４６】
従来の技術では、区間１で設定されたサラウンドモードＡは、区間２〜５のようにＰＴＹコードが取得不可となった場合やクオリティ値Ｑが変化した場合も変更されず、区間６で次のＰＴＹコードを受信したときにサラウンドモードＡとは設定の異なるサラウンドモードであるサラウンドモードＢへ変更されていた。
【００４７】
この場合は、区間３でクオリティ値Ｑが低下した場合はサラウンドＡの設定のままで雑音の多い音声となり、区間４では放送が終了しているにもかかわらず、サラウンドモードＡの設定のままとなってしまう。
【００４８】
また、区間５で次の放送が開始した場合でＰＴＹコードが取得できなかった場合も前のサラウンドモードＡの設定のままとなり、放送内容と音場設定に相違が生じてしまう。そして、区間６で次のＰＴＹコードを受信した時点でサラウンドモードＢに切り替わることとなる。
【００４９】
本実施の形態においては、区間３〜５のクオリティ値Ｑが変化した場合に有効に作用する。
【００５０】
すなわち、区間３において、ＰＴＹコードが取得不可となり、クオリティ値Ｑが閾値未満となった場合、サラウンドモードＡの設定値にクオリティ値Ｑに連動した変更を加える。
【００５１】
また、区間４でクオリティ値Ｑが０となった場合は放送が終了したと判断し、サラウンドをオフとする。
【００５２】
区間５で次の放送局の放送が開始した場合もサラウンドをオフとしたままとなり、従来のように前のサラウンド設定にて放送を聴くことはなくなる。
【００５３】
その後、番組のＰＴＹコードを受信した時点で音場設定値が自動的に変更され、対応するサラウンドモードＢとなる。
【００５４】
受信状況が悪くなった場合、音場設定は図４のように変化する。まず、ＰＴＹコードが取得不可となった場合、クオリティ値Ｑを参照し、閾値以上であれば前の放送が継続されていると判断し、音場の設定値も継続する。
【００５５】
次に、クオリティ値Ｑが閾値未満となった場合、そのクオリティ値Ｑと連動して設定値に変更を加え、音場を調整する。例えばクラシック音楽の場合、クオリティ値が低下すると、高周波のノイズが目立ってしまうため、クオリティ値Ｑと連動させて高域を下げるなど、音場設定に変更を加え、聴感の改善をする。
【００５６】
ラジオ受信装置１０は、ＦＭを受信している際には、一般的に電界強度が低下したときに高周波の出力を下げる機能能を実装しているが、この減衰量も考慮し、音場設定を調整する。
【００５７】
また、ニュースの場合も同様に、会話が聞き取りやすいようにクオリティ値Ｑと連動させて音場設定に変更を加える。さらにクオリティ値Ｑが低下し、受信不可となった場合、放送が終了したと判断し、デフォルトの音場設定に戻す。
【００５８】
そして、改めてＰＴＹコードを取得した際に、そのＰＴＹコードに応じた音場設定を行う。この結果、次にＲＤＳ局ではない放送局を受信した場合でもデフォルトの音場設定値で聞くことができ、違和感をなくすことができる。
【００５９】
図５に本発明の実施の形態におけるラジオ受信装置１０が放送信号を受信してからサラウンドモード（この場合、サラウンドモードＡ）が決定されるまでの処理フロー図を示す。
【００６０】
ラジオ受信装置１０が放送信号を受信後、マイコン１１１は、ＲＤＳデータが取得できているか否かを判定する（ステップＳ１０１）。
【００６１】
ステップＳ１０１にてＲＤＳデータが取得できていないとマイコン１１１が判定した場合（ステップＳ１０１のＮｏ）、音場設定値がデフォルト値に設定され、デフォルトのサラウンドモードとなる（ステップＳ１０４）。
【００６２】
ステップＳ１０１にてＲＤＳデータが取得できていると判定されると、マイコン１１１は次に、ＰＴＹコードが取得できているか否かを判定する（ステップＳ１０２）。
【００６３】
ステップＳ１０２にてＰＴＹコードが取得できていないとマイコン１１１が判定した場合（ステップＳ１０２のＮｏ）、音場設定値がデフォルト値に設定され、デフォルトのサラウンドモードとなる（ステップＳ１０４）。
【００６４】
ステップＳ１０２にて「ＰＴＹコードが取得できている」とマイコン１１１が判定した場合、クオリティ値Ｑと閾値とを比較する（ステップＳ１０３）。
【００６５】
ＲＤＳデータおよびＰＴＹコードが取得できている場合はクオリティ値Ｑが閾値以上の場合と閾値未満の場合のそれぞれの場合に応じてサラウンドモードが決定される。
【００６６】
ステップＳ１０３にて、クオリティ値Ｑが閾値以上であると判定された場合、ＰＴＹコードに対応した音場設定値が選択されラジオ受信装置１０は、サラウンドモードＡとなり（ステップＳ１０５）、クオリティ値Ｑが閾値未満の場合、ＰＴＹコードに対応した音場設定値にさらにクオリティ値Ｑに連動した音場設定値が設定され、サラウンドモードＡにクオリティ値Ｑの連動分が付加されたサラウンドモードとなる（ステップＳ１０６）。
【００６７】
なお、ラジオ受信装置１０は、さらに、ＴＡコードによって、交通情報番組が放送中である旨を識別することができることを利用し、このＴＡコードに応じたサラウンドモードに自動的に変更することも可能である。
【００６８】
具体的には、制御部が、ＴＡコードとサラウンドモードとの対応関係を記憶しておき、ＲＤＳ信号に含まれているＴＡコードを検出して判定し、交通情報番組を放送中である旨を示すならば、対応するサラウンドモードによって規定される処理モードをオーディオ処理回路に指定するようにしている。
【００６９】
また、ＴＡコードとサラウンドモードとの対応関係を、ラジオ受信装置１０が具備する操作部１１２を用いて、ユーザが設定するようにしてもよい。
【００７０】
以上のように本実施の形態によれば、送局のＳメータ値（電界強度）やマルチパス妨害の強度などから算出される放送局の受信クオリティ値Ｑを用い、ＰＴＹコードの受信状況と組み合わせること（クオリティ連動）によって音場設定を変更することにより、受信状況に合わせて音場が設定されるため、自動的にＰＴＹコードに対応する音場制御設定がされた状況において、ＰＴＹコードが取得できなくなった場合や受信状況が悪化した場合または他の放送内容に切り替わった場合でも、聴感上違和感のないラジオ放送を聞くことができる。
【産業上の利用可能性】
【００７１】
本発明のラジオ受信装置は、電波の受信状況が刻一刻と変化する車載ラジオ受信器として利用した際に有用である。
【符号の説明】
【００７２】
１００  アンテナ
１０１  フロントエンド
１０２  ＩＦプロセス
１０３  ＦＭ検波器
１０４  ＭＰＸ（ステレオ復調）
１０５  ＡｕｄｉｏＡＤＣ
１０６  ＤＳＰ（音場制御）
１０７  ＡｕｄｉｏＤＡＣ
１０８  スピーカー
１１０  ＲＤＳ復調器
１１１  マイコン
１１２  操作部
【図１】
2012074931.tif 000003
【図２】
2012074931.tif 000004
【図３】
2012074931.tif 000005
【図４】
2012074931.tif 000006
【図５】
2012074931.tif 000007